(57)【要約】      （修正有）【課題】コンタクトデバイスは、コンタクトハウジングを修正することなく、後にコンタクト要素の両端に高い電圧を伝達するのに特に適しているコンタクト要素を提供する。【解決手段】第１のコンタクト要素２０の第２の部分１５０が第２のコンタクト要素２５の第１の部分１４５に対してオフセットされた配置のため、沿面距離ｋが、ｙ方向の第１の量ｙ１とｚ方向の第２の量ｚ１との和からなることからコンタクトハウジング１５を修正する必要がない。【選択図】図９
2017191776.tif 000002
【特許請求の範囲】
【請求項１】
コンタクトデバイス（１０）用のコンタクト要素（２０、２５）であって、
・長手方向に延びるコンタクト本体（９５）を備え、
・前記コンタクト本体（９５）は、前面（１４０）を備え、
・前記前面（１４０）は、第１の部分（１４５、１６５）および少なくとも１つの第２の部分（１５０、１５５、１６０）を備え、
・前記第１の部分（１４５、１６５）は、コンタクトロック（２２０）の適用のために構成され、
・前記第２の部分（１５０、１５５、１６０）は、前記長手方向に前記第１の部分（１４５、１６５）に対してオフセットされて配置される、コンタクト要素（２０、２５）。
【請求項２】
・前記第１の部分（１４５、１６５）は、前記長手方向に直交する平面内に配置され、平坦に構成され、
・前記第２の部分（１５０）は、前記第１の部分（１４５、１６５）に対して斜めまたは平行に延びるように配置される、
請求項１に記載のコンタクト要素（２０、２５）。
【請求項３】
・前記コンタクト本体（９５）は、箱形に構成され、第１の本体部分（１１５）および少なくとも１つの第２の本体部分（１２０）を備え、
・前記第１の本体部分（１１５）および前記第２の本体部分（１２０）は、互いから距離をあけて配置され、前記長手方向に延び、
・前記第１の部分（１４５）は、前記第１の本体部分（１１５）上に配置され、前記第２の部分（１５０）は、前記第２の本体部分（１２０）上に配置される、
請求項１または２に記載のコンタクト要素（２０、２５）。
【請求項４】
・前記前面（１４０）は、第３の部分（１５５）を備え、
・前記第３の部分（１５５）は、前記第１の部分（１４５）に接続され、
・前記第３の部分（１５５）は、少なくとも部分的に、前記第１の部分（１４５）に対して傾斜している、
請求項１から３のいずれか一項に記載のコンタクト要素（２０、２５）。
【請求項５】
・前記コンタクト本体（９５）は、第３の本体部分（１２５）を備え、
・前記第３の本体部分（１２５）は、前記第１の本体部分（１１５）および前記第２の本体部分（１２０）に対して傾斜して配置され、前記第３の本体部分（１２５）は、前記第１の本体部分（１１５）に接続され、
・前記第３の部分（１５５）は、前記第３の本体部分（１２５）上に配置される、
請求項４に記載のコンタクト要素（２０、２５）。
【請求項６】
・接続部分（９０）を備え、
・前記接続部分（９０）によって、電線（５５、５６）との接続を確立することができ、
・前記接続部分（９０）は、前記コンタクト本体（９５）に接続され、
・前記前面（１４０）は、前記接続部分（９０）の方を向いた側に配置される、
請求項１から５のいずれか一項に記載のコンタクト要素（２０、２５）。
【請求項７】
・前記コンタクト本体（９５）は、第４の本体部分（１３０）を備え、
・前記第４の本体部分（１３０）は、前記第１の本体部分（１１５）を前記第２の本体部分（１２０）に接続し、
・前記第４の本体部分（１３０）は、前記第３の本体部分（１２５）とは反対側に配置され、前記長手方向に延び、
・前記第４の本体部分（１３０）は、前記接続部分（９０）に接続される、
請求項６に記載のコンタクト要素（２０、２５）。
【請求項８】
・接触デバイス（１００）を備え、
・前記接触デバイス（１００）は、前記コンタクト本体（９５）に接続され、
・前記前面（１４０）は、前記接触デバイス（１００）とは逆側に配置される、
請求項１から７のいずれか一項に記載のコンタクト要素（２０、２５）。
【請求項９】
・前記接触デバイス（１００）は、少なくとも１つのオスコンタクト（２３５）を備え、
または
・前記接触デバイス（１００）は、少なくとも１つのメスコンタクト（２０５）を備える、
請求項９に記載のコンタクト要素（２０、２５）。
【請求項１０】
・コンタクトハウジング（１５）および第１のコンタクト要素（２０）を備え、
・前記コンタクトハウジング（１５）は、少なくとも１つの第１のチャンバ（３５）を備え、
・前記第１のコンタクト要素（２０）は、前記第１のチャンバ（３５）内に配置され、
・前記第１のコンタクト要素（２０）は、請求項１から９のいずれか一項によって構成される、
コンタクトデバイス（１０）。
【請求項１１】
・前記コンタクトハウジング（１５）は、前記第１のチャンバ（３５）上に少なくとも１つの凹部（８０）を備え、
・前記第１のコンタクト要素（２０、２５）は、ラッチ要素（１８０）を備え、
・前記ラッチ要素（１８０）は、前記第３の本体部分（１２５）上に配置され、前記第３の本体部分（１２５）に接続され、
・前記ラッチ要素（１８０）は、前記凹部（８０）内に係合し、少なくとも１つの方向における可動性に逆らって、前記第１のコンタクト要素（２０）を前記第１のチャンバ（３５）内に固定する、
請求項１０に記載のコンタクトデバイス（１０）。
【請求項１２】
・第２のコンタクト要素（２５）を備え、
・前記コンタクトハウジング（１５）は、第２のチャンバ（４０）を備え、
・前記第２のチャンバ（４０）は、前記第１のチャンバ（３５）に対して平行に延びるように配置され、
・前記第２のコンタクト要素（２５）は、前記第２のチャンバ（４０）内に配置され、
・前記第１のコンタクト要素（２０）の前記第２の部分（１５０）は、前記第２のコンタクト要素（２５）の方を向いた側に配置され、前記第１のコンタクト要素（２０）の前記第１の部分（１４５）は、前記第２のコンタクト要素（２５）とは逆側に配置される、
請求項１０または１１に記載のコンタクトデバイス（１０）。
【請求項１３】
・前記第２のコンタクト要素（２５）は、請求項１から９のいずれか一項によって構成され、
・前記第２のコンタクト要素（２５）の前記第１の部分（１４５）は、前記第１のコンタクト要素（２０）の前記第２の部分（１５０）の方を向いた側に配置され、前記第２のコンタクト要素（２５）の前記第２の部分（１５０）は、前記第１のコンタクト要素（２０）とは逆側に配置される、
請求項１０から１２のいずれか一項に記載のコンタクトデバイス（１０）。
【請求項１４】
・コンタクトロック（２２０）を備え、
・前記コンタクトロック（２２０）は、ロック要素（２２５）を備え、
・前記コンタクトハウジング（１５）は、第１のノッチ（６５）および少なくとも１つの第２のノッチ（７０）を備え、
・前記第１のノッチ（６５）は、前記第１のチャンバ（３５）上に配置され、
・前記第２のノッチ（７０）は、前記第２のチャンバ（４０）上に配置され、
・前記ロック要素（２２５）は、位置決め面（２３０）を備え、
・前記ロック要素（２２５）は、前記第１のノッチ（６５）内に係合し、前記位置決め面（２３０）が前記第１のコンタクト要素（２０）の前記第１の部分（１４５）と接触する結果、前記コンタクトハウジング（１５）に対する前記第１のコンタクト要素（２０）の少なくとも長手方向の位置を固定し、
・前記ロック要素（２２５）は、前記第２のノッチ（７０）内に係合し、前記位置決め面（２３０）が前記第２のコンタクト要素（２５）の前記第１の部分（１４５）と接触する結果、前記コンタクトハウジング（１５）に対する前記第２のコンタクト要素（２５）の少なくとも長手方向の位置を固定し、
・前記第１のコンタクト要素（２０）の前記第２の部分（１５０）および前記第２のコンタクト要素（２５）の前記第２の部分（１５０）は、前記位置決め面（２３０）から距離をあけて配置される、
請求項１２または１３に記載のコンタクトデバイス（１０）。
【請求項１５】
・前記第１のノッチ（６５）および前記第１のコンタクト要素（２０）の前記第１の部分（１４５）は、前記長手方向に同じレベルに配置され、
・前記第１のコンタクト要素（２０）の前記第２の部分（１５０）は、前記長手方向に前記第１のノッチ（６５）に対してオフセットされて配置される、
請求項１４に記載のコンタクトデバイス（１０）。
【発明の詳細な説明】
【技術分野】
【０００１】
本発明は、請求項１に記載のコンタクト要素および請求項１０に記載のコンタクトデバイスに関する。
【背景技術】
【０００２】
コンタクトハウジングおよびコンタクト要素を有するコンタクトデバイスが知られており、コンタクトハウジングは、チャンバを備え、コンタクト要素は、チャンバ内に配置される。コンタクト要素は、メスコンタクト、コンタクト本体、および接続部分を備え、コンタクト本体は、メスコンタクトと接続部分との間に配置される。コンタクト要素は、２つのコンタクトロックによってチャンバ内に固定される。
【発明の概要】
【発明が解決しようとする課題】
【０００３】
本発明の目的は、改善されたコンタクト要素および改善されたコンタクトデバイスを提供することである。
【課題を解決するための手段】
【０００４】
この目的は、請求項１に記載のコンタクト要素および請求項１０に記載のコンタクトデバイスによって実現される。有利な実施形態は、従属請求項に示す。
【０００５】
コンタクト要素が長手方向に延びるコンタクト本体を備えることから、改善されたコンタクト要素を提供することができることが認識されている。コンタクト本体は、前面を備える。前面は、第１の部分および少なくとも１つの第２の部分を備える。第１の部分は、コンタクトロックの適用のために構成される。第２の部分は、長手方向に第１の部分に対してオフセットされて配置される。
【０００６】
この構成の利点は、特に小型のコンタクトハウジング内で特に高電圧範囲に使用することができるコンタクト要素を提供することができることである。
【０００７】
別の実施形態では、第１の部分は、長手方向に直交する平面内に配置され、平坦に構成される。第２の部分は、第１の部分に対して斜めまたは平行に延びるように配置される。
【０００８】
別の実施形態では、コンタクト本体は、箱形に構成され、第１の本体部分および少なくとも１つの第２の本体部分を備える。第１の本体部分および第２の本体部分は、互いから距離をあけて配置され、長手方向に平行に延びる。第１の部分は、第１の本体部分上に配置され、第２の部分は、第２の本体部分上に配置される。
【０００９】
別の実施形態では、前面は、第３の部分を備える。第３の部分は、第１の部分に接続される。第３の部分は、少なくとも部分的に、第１の部分に対して傾斜している。
【００１０】
別の実施形態では、コンタクト本体は、第３の本体部分を備え、第３の本体部分は、第１の本体部分および第２の本体部分に対して傾斜して配置され、第３の本体部分は、第１の本体部分に接続される。第３の部分は、第３の本体部分上に配置される。
【００１１】
別の実施形態では、コンタクト要素は、接続部分を備える。接続部分によって、電線との接続を確立することができる。接続部分は、コンタクト本体に接続され、前面は、接続部分の方を向いた側に配置される。
【００１２】
別の実施形態では、コンタクト本体は、第４の本体部分を備える。第４の本体部分は、第１の本体部分を第２の本体部分に接続し、第４の本体部分は、第３の本体部分とは反対側に配置され、長手方向に延びる。第４の本体部分は、接続部分に接続される。
【００１３】
別の実施形態では、コンタクト要素は、接触デバイスを備え、接触デバイスは、コンタクト本体に接続される。前面は、接触デバイスとは逆側に配置される。
【００１４】
別の実施形態では、接触デバイスは、少なくとも１つのオスコンタクトを備える。別法として、接触デバイスは、少なくとも１つのメスコンタクトを備える。
【００１５】
別の実施形態では、コンタクトデバイスは、コンタクトハウジングおよび第１のコンタクト要素を備える。コンタクトハウジングは、少なくとも１つの第１のチャンバを備える。第１のコンタクト要素は、第１のチャンバ内に配置される。第１のコンタクト要素は、上記のコンタクト要素と同じ方法で構成される。
【００１６】
別の実施形態では、コンタクトハウジングは、第１のチャンバ上に凹部を備える。加えて、第１のコンタクト要素は、ラッチ要素を備える。ラッチ要素は、第３の本体部分上に配置され、第３の本体部分に接続される。ラッチ要素は、凹部内に係合し、少なくとも１つの方向における変位に逆らって、第１のコンタクト要素を第１のチャンバ内に固定する。
【００１７】
別の実施形態では、コンタクトデバイスは、第２のコンタクト要素を備える。コンタクトハウジングは、第２のチャンバを備える。第２のチャンバは、第１のチャンバに対して平行に延びるように配置される。第２のコンタクト要素は、第２のチャンバ内に配置され、第１のコンタクト要素の第２の部分は、第２のコンタクト要素の方を向いた側に配置され、第１のコンタクト要素の第１の部分は、第２のコンタクト要素とは逆側に配置される。その結果、コンタクトデバイス内で特に大きい沿面距離が提供され、その結果、コンタクト要素によって、特に高い電圧を伝達することができ、コンタクトデバイスが汚れている場合でも、コンタクトデバイスの寿命にわたって第１のコンタクト要素と第２のコンタクト要素との間に確実な電気絶縁を提供することができる。
【００１８】
別の実施形態では、第２のコンタクト要素は、上記のコンタクト要素と同じ方法で構成され、第２のコンタクト要素の第１の部分は、第１のコンタクト要素の第２の部分の方を向いた側に配置され、第２のコンタクト要素の第２の部分は、第１のコンタクト要素とは逆側に配置される。
【００１９】
別の実施形態では、コンタクトデバイスは、コンタクトロックを備える。コンタクトロックは、ロック要素を備える。コンタクトハウジングは、第１のノッチおよび少なくとも１つの第２のノッチを備える。第１のノッチは、第１のチャンバ上に配置され、第２のノッチは、第２のチャンバ上に配置される。ロック要素は、位置決め面を備える。ロック要素は、第１のノッチ内に係合し、位置決め面が第１のコンタクト要素の第１の部分と接触する結果、コンタクトハウジングに対する第１のコンタクト要素の少なくとも長手方向の位置を固定する。ロック要素は、加えて、第２のノッチ内に係合し、位置決め面が第２のコンタクト要素の第１の部分と接触する結果、コンタクトハウジングに対する第２のコンタクト要素の少なくとも長手方向の位置を固定する。第１のコンタクト要素の第２の部分および第２のコンタクト要素の第２の部分は、位置決め面から距離をあけて配置される。
【００２０】
別の実施形態では、第１のノッチおよび第１のコンタクト要素の第１の部分は、長手方向に同じレベルに配置され、第１のコンタクト要素の第２の部分は、長手方向に第１のノッチに対してオフセットされて配置される。
【００２１】
本発明について、図を参照してより詳細に以下に説明する。
【図面の簡単な説明】
【００２２】
【図１】コンタクトデバイスの斜視図である。
【図２】図１に示す第１の断面Ａ−Ａに沿った図１に示すコンタクトデバイスの斜視断面図である。
【図３】コンタクトデバイスのコンタクトハウジングの斜視図である。
【図４】第１の実施形態によるコンタクト要素の正面図である。
【図５】図４に示すコンタクト要素の斜視図である。
【図６】図４および図５に示すコンタクト要素の斜視図である。
【図７】図４〜６に示すコンタクト要素の縦断面図である。
【図８】図２に示すコンタクトデバイスの詳細な断面図である。
【図９】図１に示す第２の断面Ｂ−Ｂに沿った図１に示すコンタクトデバイスの詳細な斜視断面図である。
【図１０】コンタクトロックが開いている図１および図２に示すコンタクトデバイスの斜視側面図である。
【図１１】コンタクトロックが閉状態にある図１０に示すコンタクトデバイス１０の斜視側面図である。
【図１２】図１に示す第３の断面Ｃ−Ｃに沿った図１に示すコンタクトデバイスの詳細な斜視断面図である。
【図１３】第２の実施形態によるコンタクト要素の側面図である。
【発明を実施するための形態】
【００２３】
以下の図１〜１３では、座標系５を参照する。座標系５は、右手座標系として構成され、ｘ軸、ｙ軸、およびｚ軸を備える。ｚ軸は、長手方向として示し、ｙ軸は、ｚ軸に対する横方向として示す。ｘ軸は、深さ方向に対応する。
【００２４】
図１は、コンタクトデバイス１０の斜視図を示す。コンタクトデバイス１０は、コンタクトハウジング１５および少なくとも１つの第１のコンタクト要素２０を備える。コンタクトハウジング１５は、電気絶縁材料から構成される。本実施形態では、たとえば、第１のコンタクト要素２０に加えて、第２のコンタクト要素２５および追加の第２のコンタクト要素２５が設けられる。第１のコンタクト要素２０、第２のコンタクト要素２５、および追加の第２のコンタクト要素２５は、たとえば、互いに同じ構成を有する。コンタクト要素２０、２５の異なる構成も可能である。本実施形態では、コンタクト要素２０、２５、３０は、たとえば、共通のｙｚ平面内で距離をあけて互いに隣接して配置される。
【００２５】
コンタクトハウジング１５は、ハウジング前面２６およびハウジング後面２７を備える。ハウジング前面２６およびハウジング後面２７は、少なくとも部分的に、異なるｙｚ平面内に延びる。
【００２６】
図２は、図１に示す第１の断面Ａ−Ａに沿った図１に示すコンタクトデバイス１０の斜視断面図を示す。
【００２７】
コンタクトハウジング１５は、少なくとも１つの第１のチャンバ３５を備える。第１のコンタクト要素２０は、第１のチャンバ３５内に配置される。加えて、コンタクトハウジング１５は、第２のチャンバ４０を備えることができ、第２のコンタクト要素２５は、第２のチャンバ４０内に配置される。また、追加の第２のチャンバ４０を設けることができ、追加の第２のコンタクト要素２５は、追加の第２のチャンバ４０内に配置される。
【００２８】
第１のチャンバ３５は、たとえば、第２のチャンバ４０と同じ構成を有する。第１のチャンバ３５および第２のチャンバ４０は、互いに対して平行に配置され、長手方向に延びる。各チャンバ３５、４０は、下面に第１の開口４５を備える。開口４５に隣接して、コンタクト要素台座４６がある。上面では、第１のコンタクト要素２０がコンタクト要素台座４６上に載置され、その結果、それぞれのチャンバ３５、４０内のコンタクト要素２０、２５の可動性が、正のｚ方向に制限される。第１のチャンバ３５は、長手方向の反対側に第２の開口５０を備える。コンタクトハウジング１５は、第１のチャンバ３５と第２のチャンバ４０との間に、チャンバ壁６０を備える。チャンバ壁６０は、第１のチャンバ３５を第２のチャンバ４０から分離し、第１のチャンバ３５と第２のチャンバ４０の両方を横方向に区切る。
【００２９】
さらに、コンタクトハウジング１５は、第１のノッチ６５と、好ましくは第２のノッチ７０と、好ましくは溝７５とを備える。溝７５は、ハウジング前面２６上に配置され、ハウジング後面２７の方向に座標系５の負のｘ方向に延びる。加えて、溝７５は、ｘｙ平面内を延びる。溝７５は、ハウジング前面２６上で開いている。溝７５の深さは、溝７５が第１のチャンバ３５を通過し、第１のチャンバ３５上に第１のノッチ６５を形成するように選択される。本実施形態では、溝７５は、たとえば実質上コンタクトハウジング１５の横方向の長さ全体にわたって延びる。したがって、溝７５は、第２のチャンバ４０も通過し、第２のチャンバ４０上に第２のノッチ７０を形成する。
【００３０】
さらに、第１のコンタクト要素２０は、第１の電線５５に接続され、第２のコンタクト要素２５は、第２の電線５６に接続される。
【００３１】
図３は、コンタクトデバイス１０のコンタクトハウジング１５の斜視図を示す。
【００３２】
溝７５は、溝底７６、第１の溝境界面７７、および第２の溝境界面７８を備える。第１の溝境界面７７および第２の溝境界面７８は、たとえば、長手方向に互いに異なる形でオフセットされて配置されたｘｙ平面内に配置され、第１の溝境界面７７は、第２の溝境界面７８より下に配置される。さらに、第１の溝境界面７７は、第２の溝境界面７８とは反対側に配置される。
【００３３】
第１のチャンバ３５は、第１のノッチ６５と第１の開口４５との間に、たとえばハウジング前面２６の本実施形態で溝７５が配置されるのと同じ側に、第１の凹部８０を備える。したがって、第１の凹部８０は、長手方向（ｚ方向）に延びるように構成される。同様に、第２のチャンバ４０は、たとえば、第２の凹部８５を備える。第２の凹部８５は、第１の凹部８０と同じレベルで長手方向に配置され、第１の凹部８０と同じ構成を有する。
【００３４】
図４は、コンタクト要素２０、２５の正面図を示す。コンタクト要素２０、２５は、接続部分９０、コンタクト本体９５、および接触デバイス１００を備える。コンタクト本体９５は、長手方向に接触デバイス１００と接続部分９０との間に配置され、上端で接続部分９０に接続され、下端で接触デバイス１００に接続される。コンタクト本体９５は、箱形に構成された断面を有する。コンタクト本体９５の断面は、たとえば、正のｘ方向に先細りする。
【００３５】
接触デバイス１００は、たとえば、メスコンタクトとして構成される。接続部分９０は、電線５５、５６との接続を形成するように構成される。この目的で、電線５５、５６の導電体１０５を圧着接続１１０によって接続部分９０に接続することができる。
【００３６】
図５は、図４に示すコンタクト要素２０、２５の斜視図を示す。コンタクト本体９５は、第１の本体部分１１５、第２の本体部分１２０、第３の本体部分１２５、および第４の本体部分１３０を備える。さらに、コンタクト本体９５は、第５の本体部分１３５を備えることができる。
【００３７】
第１の本体部分１１５および第２の本体部分１２０は、長手方向に延びる。第１の本体部分１１５は、横方向（ｙ方向）に第２の本体部分１２０から距離をあけて配置される。第１の本体部分１１５および第２の本体部分１２０は、互いに対して平行に長手方向に延びる。後側では、第１の本体部分１１５および第２の本体部分１２０は、第４の本体部分１３０に接続され、その結果、第１の本体部分１１５、第２の本体部分１２０、および第４の本体部分１３０は、互いに対してＵ字の形状に配置される。したがって、第４の本体部分１３０は、第１の本体部分１１５および第２の本体部分１２０に対して、たとえば直交して、または斜めの角度もしくは鋭角に傾斜して配置される。第３の本体部分１２５は、第４の本体部分１３０とは反対側（ｘ方向）に、第４の本体部分１３０に対してオフセットされて配置される。第３の本体部分１２５は、たとえば、舌状もしくはＬ字状であり、または平坦に構成される。第３の本体部分１２５は、第１の本体部分１１５の一方の側に接続される。第３の本体部分１２５は、自由端で、第２の本体部分１２０と接触する。しかし、第３の本体部分１２５は、たとえば、第２の本体部分１２０に接続されない。第３の本体部分１２５は、第１の本体部分１１５および第２の本体部分１２０に対して傾斜して配置される。
【００３８】
第５の本体部分１３５は、ｘ方向に第３の本体部分１２５と第４の本体部分１３０との間に配置される。したがって、第５の本体部分１３５は、たとえば、少なくとも部分的に、第４の本体部分１３０に対して平行に延びる。第５の本体部分１３５は、コンタクト本体９５を補強する働きをする。したがって、第５の本体部分１３５は、たとえば第１の本体部分１１５とは逆側で第２の本体部分１２０に接続される。第５の本体部分１３５の自由端は、第１の本体部分１１５と内側で接触する。第３の本体部分１２５は、外側で第５の本体部分１３５の周りを案内される。
【００３９】
コンタクト本体９５は、接続部分９０の方を向いた側に前面１４０を備える。前面１４０は、第１の部分１４５および第２の部分１５０を備える。さらに、前面１４０は、第３の部分１５５、第４の部分１６０、および第５の部分１６５を備えることができる。第１の部分１４５は、第１の本体部分１１５上に配置される。第２の部分１５０は、第２の本体部分１２０上に配置される。第３の部分１５５は、第３の本体部分１２５上に配置される。第４の本体部分１３０は、接続部分９０に接続され、その結果、第４の本体部分１３０上には部分１４５、１５０、１５５、１６０、１６５のいずれも配置されない。第４の部分１６０および第５の部分１６５は、第５の本体部分１３５上に配置される。
【００４０】
図６は、図５に示すコンタクト要素２０、２５の斜視図を示す。
【００４１】
第１の部分１４５は、第３の部分１５５に接続される。第３の部分１５５は、Ｌ字状に構成され、第１の領域１６７および第２の領域１６８を備える。第１の領域１６７は、第２の領域１６８と第１の部分１４５との間に配置され、第１の部分１４５および第２の領域１６８に接続される。第１の領域１６７は、第１の部分１４５に対して傾斜して配置され、好ましくは直交して配置される。第１の領域１６７および第１の部分１４５は、共通のｘｙ平面内を延びるように配置される。第２の領域１６８は、第２の部分１５０の方向に斜めに傾斜して配置される。
【００４２】
第２の部分１５０および第４の部分１６０は、互いに接続される。第４の部分１６０と第５の部分１６５との間には、肩部１６６が配置され、肩部１６６は、第４の部分１６０を第５の部分１６５に接続する。肩部１６６は、第１の部分１４５および第２の部分１５０に対してｙ方向にオフセットされて配置される。
【００４３】
第１の部分１４５および第２の部分１５０は、ｘ方向に平行に延び、横方向および長手方向に互いにオフセットされて配置される。第４の部分１６０および第５の部分１６５は、第２の部分１５０に直交して延びる。第４の部分１６０および第５の部分１６５は、たとえば、第１の部分１４５の深さのほぼ２分の１のところに配置される。
【００４４】
加えて、コンタクト本体９５は、長手方向に第１の部分１４５と接続部分９０との間に配置された移行部分１６６を備えることができる。移行部分
【００４５】
図７は、図４〜６に示すコンタクト要素２０、２５の断面を示す。
【００４６】
第１の部分１４５は、長手方向（ｚ方向）に直交する第１のｘｙ平面１７０内に配置され、平坦に構成される。第２の部分１５０は、第２のｘｙ平面１７５内に配置され、同様に好ましくは平坦に構成される。第２の部分１５０は、好ましくは、第１の部分１４５に対して平行に配向される。第２の部分１５０は、接続部分９０とは逆側で接触デバイス１００の方へオフセットされて配置される。第２の部分１５０はまた、第１の部分１４５に対して斜めに延びるように配置されることができる。第３の部分１５５は、第２の領域１６８内で、部分的に第１の部分１４５および第２の部分１５０に対して斜めに配置され、第１の部分１４５および第１の領域１６７のレベルを第２の部分１５０のレベルに接続する。
【００４７】
第４の部分１６０は、第２の平面１７５内に配置され、他方では、第５の部分１６５は、第１の平面１７０内に配置される。
【００４８】
コンタクト要素２０、２５は、ラッチ要素１８０を備える。ラッチ要素１８０は、接触デバイス１００の方向に前面１４０からオフセットされて配置される。ラッチ要素１８０は、ビームばね１８５を備える。ビームばね１８５は、固定端１９０で、第３の本体部分１２５に接続される。ラッチ要素１８０は、自由端１９５に、係合部分２００を備える。ラッチ要素１８０および関連する凹部８０、８５は、組み立てられた状態で、第１のコンタクトロック２０１を形成する。ラッチ要素１８０は、組み立てられた状態で、コンタクト要素２０、２５に関連する凹部８０、８５内に係合して、少なくとも１つの負のｚ方向におけるコンタクトハウジング１５に対するチャンバ３５、４０内のコンタクト要素２０、２５の可動性を制限する。
【００４９】
接触デバイス１００は、メスコンタクトとして構成され、ソケット２０５および押圧要素２１０を備える。押圧要素２１０は、ビームばね状に構成され、固定端２１５で第５の本体部分１３５に接続される。押圧要素２１０は、コンタクトデバイス１０がさらなるコンタクトデバイス上に組み立てられた状態で、オスコンタクト２３５を押圧し、オスコンタクト２３５は、ソケット２０５を通って案内される。コンタクト要素２０、２５は、導電性材料から構成される。その結果、追加のコンタクトデバイスとコンタクト要素２０、２５との間で確実な電気的接続を確保することができる。
【００５０】
したがって、本実施形態では、押圧要素２１０は、たとえば、長手方向にソケット２０５と第５の本体部分１３５との間に配置される。
【００５１】
図８は、第１の断面Ａ−Ａに沿った図２に示す詳細な断面図を示す。
【００５２】
第１のコンタクト要素２０は、第１のコンタクト要素２０の第２の部分１５０が、第２のコンタクト要素２５の方を向いた側に配置され、第１のコンタクト要素２０の第１の部分１４５が、第２のコンタクト要素２５とは逆側に配置されるように、第２のコンタクト要素２５に対して配置される。
【００５３】
第２のコンタクト要素２５は、第２のコンタクト要素２５の第１の部分１４５が、第１のコンタクト要素２０の第２の部分１５０の方を向いた側に配置され、第２のコンタクト要素２５の第２の部分１５０が、第１のコンタクト要素２０の第２の部分１５０とは逆側に配置されるように、第２のチャンバ４０内の第１のコンタクト要素２０に対して配向される。
【００５４】
図９は、図１に示す第２の断面Ｂ−Ｂに沿った図１に示すコンタクトデバイス１０の詳細な斜視断面図を示す。見やすいように、図９では、コンタクトデバイス１０のいくつかの構成要素の図を省略した。
【００５５】
第１のノッチ６５および第１のコンタクト要素２０の第１の部分１４５は、長手方向に同じレベルに配置される。ｚ方向において、第１の部分１４５が第１の溝境界面７７と共通のｘｙ平面内に配置されることが特に有利である。加えて、第１の部分１４５は、溝底面７６が配置されるｙｚ平面を超えてｘ方向に突出する。第２の部分１５０は、接触デバイス１００およびコンタクト要素台座４６の方向に第１のノッチ６５に対して長手方向にオフセットされて配置される。第３の部分１５５の第１の領域１６７は、部分的に第１のノッチ６５のレベルを延びるように配置される。加えて、第５の部分１６５は、第１のノッチ６５のレベルに配置され、他方では、第１のコンタクト要素２０の第４の部分１６０は、第１のノッチ６５に対してオフセットされて配置される。
【００５６】
第２のチャンバ４０内の第２のコンタクト要素２５の配置は、第１のチャンバ３５内の第１のコンタクト要素２０の配置に類似している。したがって、第１の部分１４５および第５の部分１６５は、同様に長手方向に第２のノッチ７０のレベルに配置される。第２のコンタクト要素２５の第２の部分１５０および第４の部分１６０は、長手方向に第２のノッチ７０に対してオフセットされて配置される。第２のコンタクト要素２５の第３の部分１５５は、部分的に第２のノッチ７０のレベルのみを延びる。
【００５７】
コンタクトデバイス１０の利点は、コンタクトデバイス１０が、コンタクトハウジング１５と同じ幾何形状の構成で、第１のコンタクト要素２０から第２のコンタクト要素２５の方へ特に長い沿面距離ｋを有することである。ここでは、「沿面距離」ｋという用語は、電気絶縁材料の表面に沿って最短の距離を示し、本実施形態では、第１のコンタクト要素２０と第２のコンタクト要素２５との間のコンタクトハウジング１５を示す。その結果、コンタクトデバイス１０は、コンタクト要素２０、２５の両端に高い電圧を伝達するのに特に適している。特に長い沿面距離ｋは、第１のコンタクト要素２０の第２の部分１５０が第２のコンタクト要素２５の第１の部分１４５に対してオフセットされた配置のため、沿面距離ｋが、ｙ方向の第１の量ｙ１とｚ方向の第２の量ｚ１との和からなることから実現される。したがって、第１の量ｙ１は、第１の溝境界面７７に沿って第１のノッチ６５と第２のノッチ７０との間をｙ方向に延びる。第２の量ｚ１は、第１のコンタクト要素２０の第２の部分１５０からｚ方向にチャンバ壁６０に沿って第１の溝境界面７７まで延びる。特に、沿面距離ｋは、コンタクトデバイスの従来の構成に対する第２の量ｚ１によって実現される。肩部１６６もまた、沿面距離ｋが第２のコンタクト要素２５の第１の部分１４５と第１のコンタクト要素２０の第２の部分１５０との間を延びることを確実にする。同様に、これは、第２の領域１６８が接触デバイス１００の方向にオフセットされた斜めの配置によって確実にされる。
【００５８】
沿面距離ｋが増大するため、図１〜９に示すコンタクト要素２０、２５を有する既存のコンタクトデバイス１０の場合、コンタクトハウジング１５を修正する必要なく、後に電圧を増大させることができる。これは、その結果、電圧が増大した場合でも、ｙ方向において、既存のコンタクト間隔、すなわち第１のチャンバ３５と第２のチャンバとの間の距離を維持することができるため、特に有利である。コンタクト間隔が維持されるおかげで、たとえば制御デバイス上に配置され、コンタクトデバイス１０が固定される、追加のコンタクトデバイス（図示せず）の幾何形状の修正を不要にすることが可能である。
【００５９】
加えて、コンタクトデバイス１０は、特に小型になるように構成することができる。
【００６０】
従来のコンタクト要素はまた、たとえば、検査作業において、図４〜９に概略を示すコンタクト要素２０、２５に置き換えることができる。
【００６１】
図１０は、図１および図２に示すコンタクトデバイス１０の斜視側面図を示し、図１０に示す第２のコンタクトロック２２０は開いている。
【００６２】
第２のコンタクトロック２２０は、ロック要素２２５を備え、ロック要素２２５は、旋回軸２２１の周りで旋回することができる。ロック要素２２５は、一方の端部２２６で、コンタクトハウジング１５に接続される。ロック要素は、他方の端部に、位置決め面２３０を備える。
【００６３】
図１１は、第２のコンタクトロック２２０が閉状態にある、図１０に示すコンタクトデバイス１０の斜視側面図を示す。
【００６４】
閉状態で、ロック要素２２５は、溝７５内に係合する。位置決め面２３０は、ロック要素２２５のうち接続部分９０とは逆側に配置される。したがって、位置決め面２３０は、ｘｙ平面に対して斜めに延びるように配置することができる。位置決め面２３０はまた、閉状態でｘｙ平面内に配置することができる。
【００６５】
図１２は、図１に示す第３の断面Ｃ−Ｃに沿った図１に示すコンタクトデバイスの詳細な斜視断面図を示す。
【００６６】
第２のコンタクトロックの閉状態で、ロック要素２２５は、第１のノッチ６５および第２のノッチ内に係合する。加えて、位置決め面２３０は、長手方向に第１の部分１４５および第１の溝境界面１７６とは反対側に配置される。コンタクト要素２０、２５が電線５５、５６によって引っ張られる場合（座標系５のｚ軸矢印の方向とは反対の方向）、第１の部分１４５は、位置決め面２３０と接触し、位置決め面２３０は、コンタクト要素２０、２５がチャンバ３５、４０内でコンタクトハウジング１５に対して負のｚ方向にさらに変位するのを阻止する。第２の部分１５０はまた、第１の部分１４５が位置決め面２３０に接触するとき、ｚ方向に位置決め面２３０から距離をあけて配置される。
【００６７】
図９〜１２に概略を示す溝７５に対する第１の部分１４５の配置への代替として、第１の部分１４５が接触デバイス１００の方向にノッチ６５、７０に対してオフセットされて配置されることも考えられる。この場合、第２の部分１５０もまた、図９〜１２にすでに示したように、接触デバイス１００の方向にオフセットされて配置される。この構成の利点は、溝７５内のロック要素２２５の安定した組み立てが確保されることである。
【００６８】
図１３は、第２の実施形態によるコンタクト要素２０、２５の側面図を示す。
【００６９】
コンタクト要素２０、２５は、図１〜１２に概略を示すコンタクト要素２０、２５と同様に構成される。これとは異なり、押圧要素２１０は省略される。加えて、接触デバイス１００は、オスコンタクト２３５として構成される。オスコンタクト２３５は、たとえば、図６および図７に示すソケット２０５内へ挿入されること、ならびに図１〜１２に示す第１の実施形態によるコンタクト要素１０と図１３に示すコンタクト要素２０、２５との間に電気的接続を提供することが意図される。
【００７０】
図１３に示すコンタクト本体９５および接続部分９０の同一の構成のため、コンタクトハウジング１５のさらなる変更を必要とすることなく、コンタクト要素２０、２５も同様に、図３に示すコンタクトハウジング１５内へ挿入することができる。その結果、図４〜９に示す第１の実施形態によるコンタクト要素２０、２５と第２の実施形態によるコンタクト要素２０、２５の両方に対して、コンタクトハウジング１５の特に柔軟な使用が可能になる。
【００７１】
加えて、図１〜１３に示す特徴はまた、異なる方法で互いと組み合わせることができること、および／または少なくとも１つの特徴を省略することができることも指摘される。
【符号の説明】
【００７２】
５  座標系
１０  コンタクトデバイス
１５  コンタクトハウジング
２０  第１のコンタクト要素
２５  第２のコンタクト要素
２６  ハウジング前面
２７  ハウジング後面
３５  第１のチャンバ
４０  第２のチャンバ
４５  第１の開口
４６  コンタクト要素台座
５０  第２の開口
５５  第１の電線
５６  第２の電線
６０  チャンバ壁
６５  第１のノッチ
７０  第２のノッチ
７５  溝
７６  溝底
７７  第１の溝境界面
７８  第２の溝境界面
８０  第１の凹部
８５  第２の凹部
９０  接続部分
９５  コンタクト本体
１００  接触部分
１０５  導電体
１１０  圧着接続
１１５  第１の本体部分
１２０  第２の本体部分
１２５  第３の本体部分
１３０  第４の本体部分
１３５  第５の本体部分
１４０  前面
１４５  第１の部分
１５０  第２の部分
１５５  第３の部分
１６０  第４の部分
１６５  第５の部分
１６６  移行部分
１６７  第３の部分の第１の領域
１６８  第３の部分の第２の領域
１７０  第１の平面
１７５  第２の平面
１８０  ラッチ要素
１８５  ビームばね
１９０  ビームばねの固定端
１９５  ビームばねの自由端
２００  係合部分
２０１  第１のコンタクトロック
２０５  ソケット
２１０  押圧要素
２１５  押圧要素の固定端
２２０  第２のコンタクトロック
２２５  ロック要素
２３０  位置決め面
２３５  オスコンタクト
【図１】
2017191776.tif 000003
【図２】
2017191776.tif 000004
【図３】
2017191776.tif 000005
【図４】
2017191776.tif 000006
【図５】
2017191776.tif 000007
【図６】
2017191776.tif 000008
【図７】
2017191776.tif 000009
【図８】
2017191776.tif 000010
【図９】
2017191776.tif 000011
【図１０】
2017191776.tif 000012
【図１１】
2017191776.tif 000013
【図１２】
2017191776.tif 000014
【図１３】
2017191776.tif 000015
【外国語明細書】
2017191776000001.pdf